(57)【要約】【課題】微細な炭酸ガスおよび磁気活水マイクロナノバブルを浴槽水に含有させることができる人工療養泉製造装置を提供する。【解決手段】浴槽３と、磁気活水マイクロナノバブル発生機１９と、炭酸ガス貯留調整容器１０とを有する。磁気活水マイクロナノバブル発生機１９は、浴槽３内に、炭酸ガスおよび磁気活水マイクロナノバブルを、発生する。したがって、炭酸ガスおよび磁気活水マイクロナノバブルにより、血流量の増加や体の細胞を刺激する性能を向上できる。【選択図】図１
2010022454.tif 000002
【特許請求の範囲】
【請求項１】
浴槽と、
磁気活水マイクロナノバブル発生機と、
炭酸ガス貯留調整容器と
を備え、
上記磁気活水マイクロナノバブル発生機は、
上記浴槽内に吸込流路および吐出流路を介して接続されるポンプと、
上記浴槽内に配置されると共に、上記ポンプに上記吐出流路を介して接続されるマイクロナノバブル発生ノズルと、
上記吐出流路における上記ポンプと上記マイクロナノバブル発生ノズルとの間に設けられる磁気活水器と
を有し、
上記炭酸ガス貯留調整容器は、気体流路を介して、上記磁気活水マイクロナノバブル発生機の吐出側に接続され、
上記炭酸ガス貯留調整容器は、少なくとも炭酸ガスを作成し、上記気体流路を介して上記炭酸ガスを上記磁気活水マイクロナノバブル発生機に送り、
上記磁気活水マイクロナノバブル発生機は、上記浴槽内に、炭酸ガスおよび磁気活水マイクロナノバブルを、発生することを特徴とする人工療養泉製造装置。
【請求項２】
請求項１に記載の人工療養泉製造装置において、
上記炭酸ガス貯留調整容器は、ラドンガスと炭酸ガスとの混合ガスを作成し、上記気体流路を介して上記混合ガスを上記磁気活水マイクロナノバブル発生機に送り、
上記磁気活水マイクロナノバブル発生機は、上記浴槽内に、ラドン炭酸ガスおよび磁気活水マイクロナノバブルを、発生することを特徴とする人工療養泉製造装置。
【請求項３】
請求項２に記載の人工療養泉製造装置において、
上記炭酸ガス貯留調整容器は、ラジウム鉱石を、収容していることを特徴とする人工療養泉製造装置。
【請求項４】
請求項３に記載の人工療養泉製造装置において、
上記ラジウム鉱石は、時間当たり0.1〜2.0マイクロシーベルト（μSV）の範囲のラジウムを放射することを特徴とする人工療養泉製造装置。
【請求項５】
請求項３または４に記載の人工療養泉製造装置において、
上記炭酸ガス貯留調整容器は、液体流路を介して、上記磁気活水マイクロナノバブル発生機の吐出側に接続され、
上記炭酸ガス貯留調整容器は、ラジウム鉱石に加えて、トルマリン鉱石を、収容し、
上記トルマリン鉱石の量は、上記浴槽の体積0.2ｍ3に対して、50〜100ｇであることを特徴とする人工療養泉製造装置。
【請求項６】
請求項２に記載の人工療養泉製造装置において、
上記炭酸ガス貯留調整容器は、炭酸ガスを発生する固形入浴剤を、収容していることを特徴とする人工療養泉製造装置。
【請求項７】
請求項６に記載の人工療養泉製造装置において、
上記炭酸ガス貯留調整容器は、液体流路を介して、上記磁気活水マイクロナノバブル発生機の吐出側に接続され、
上記炭酸ガス貯留調整容器は、固形入浴剤に加えて、硫酸マグネシウムを、収容し、
上記硫酸マグネシウムの量は、上記浴槽の体積0.2ｍ3に対して、300〜400ｇであることを特徴とする人工療養泉製造装置。
【請求項８】
請求項６に記載の人工療養泉製造装置において、
上記炭酸ガス貯留調整容器は、液体流路を介して、上記磁気活水マイクロナノバブル発生機の吐出側に接続され、
上記炭酸ガス貯留調整容器は、固形入浴剤に加えて、炭酸カルシウムを、収容し、
上記炭酸カルシウムの量は、上記浴槽の体積0.2ｍ3に対して、300〜400ｇであることを特徴とする人工療養泉製造装置。
【請求項９】
請求項６に記載の人工療養泉製造装置において、
上記炭酸ガス貯留調整容器は、液体流路を介して、上記磁気活水マイクロナノバブル発生機の吐出側に接続され、
上記炭酸ガス貯留調整容器は、固形入浴剤に加えて、塩化ナトリウムを、収容し、
上記塩化ナトリウムの量は、上記浴槽の体積0.2ｍ3に対して、300〜400ｇであることを特徴とする人工療養泉製造装置。
【請求項１０】
請求項６に記載の人工療養泉製造装置において、
上記炭酸ガス貯留調整容器は、液体流路を介して、上記磁気活水マイクロナノバブル発生機の吐出側に接続され、
上記炭酸ガス貯留調整容器は、固形入浴剤に加えて、炭酸水素ナトリウムを、収容し、
上記炭酸水素ナトリウムの量は、上記浴槽の体積0.2ｍ3に対して、300〜400ｇであることを特徴とする人工療養泉製造装置。
【請求項１１】
炭酸ガス貯留調整容器により、少なくとも炭酸ガスを作成し、気体流路を介して炭酸ガスを磁気活水マイクロナノバブル発生機に送る工程と、
マイクロナノバブル発生ノズルおよび磁気活水器を有する磁気活水マイクロナノバブル発生機により、浴槽内に、炭酸ガスおよび磁気活水マイクロナノバブルを、発生させる工程と
を備えることを特徴とする人工療養泉製造方法。
【請求項１２】
請求項１１に記載の人工療養泉製造方法において、
上記炭酸ガス貯留調整容器により、ラドンガスと炭酸ガスとの混合ガスを作成し、上記気体流路を介して上記混合ガスを上記磁気活水マイクロナノバブル発生機に送り、
上記磁気活水マイクロナノバブル発生機により、上記浴槽内に、ラドン炭酸ガスおよび磁気活水マイクロナノバブルを、発生させることを特徴とする人工療養泉製造方法。
【請求項１３】
請求項１１または１２に記載の人工療養泉製造方法において、
上記炭酸ガス貯留調整容器に、炭酸ガスを発生する固形入浴剤を投入して、炭酸ガスを作成することを特徴とする人工療養泉製造方法。
【請求項１４】
請求項１３に記載の人工療養泉製造方法において、
上記固形入浴剤は、薬用植物の成分を含有していることを特徴とする人工療養泉製造方法。
【請求項１５】
請求項１３に記載の人工療養泉製造方法において、
上記固形入浴剤は、人体の疾患に治療効果のある成分を含有していることを特徴とする人工療養泉製造方法。
【請求項１６】
請求項１４に記載の人工療養泉製造方法において、
上記薬用植物の成分は、朝鮮人参、ショウブ、トウキ、カミツレ、アロエおよびハマゴボウの何れか一つまたは少なくとも何れか二つの混合物であることを特徴とする人工療養泉製造方法。
【請求項１７】
請求項１１に記載の人工療養泉製造方法において、
上記炭酸ガス貯留調整容器から上記磁気活水マイクロナノバブル発生機に送る炭酸ガス量を、自動的に、減少することを特徴とする人工療養泉製造方法。
【請求項１８】
請求項１１に記載の人工療養泉製造方法において、
上記炭酸ガス貯留調整容器により、液体流路を介して、上記磁気活水マイクロナノバブル発生機に、有効成分を含む液体を送り、
上記磁気活水マイクロナノバブル発生機により、上記浴槽内に、炭酸ガスおよび磁気活水マイクロナノバブルを、発生させるとともに、上記浴槽内に、上記有効成分を含む液体を送ることを特徴とする人工療養泉製造方法。
【請求項１９】
請求項１８に記載の人工療養泉製造方法において、
上記磁気活水マイクロナノバブル発生機により、上記浴槽内に、炭酸ガスおよび磁気活水マイクロナノバブルを、発生させた後に、上記磁気活水マイクロナノバブル発生機により、上記浴槽内に、上記有効成分を含む液体を送ることを特徴とする人工療養泉製造方法。
【発明の詳細な説明】
【技術分野】
【０００１】
この発明は、人工療養泉製造装置および人工療養泉製造方法に関する。
【背景技術】
【０００２】
従来、マイクロナノバブル発生機を利用した浴槽は存在していたが、発生したマイクロナノバブルの量が少なく、また、マイクロナノバブルのサイズの範囲が狭く、人間の身体に対する影響、特に、血液の流れに対する影響度は少ない内容であった。
【０００３】
特に、日本では糖尿病患者が多く、糖尿病患者においては、足の末端付近の血流悪化を原因とする壊疽による足の切断の事例もある。人の足の血流が悪化した場合の、改善方法として、マイクロナノバブルを発生させた浴槽のシステムが考えられるが、効果を発揮させるためには、多数の旋回流方式のマイクロナノバブル発生機を設置する必要があった。  具体的には、旋回流方式のマイクロナノバブル発生機を10台設置した事例がある。この事は、10台のマイクロナノバブル発生機を運転する為の電気代や、10台のマイクロナノバブル発生機のイニシャルコスト等の浴槽全体を構成するシステムのコストアップにもつながり、現実的ではないシステムである。
【０００４】
すなわち、マイクロナノバブルの活用分野で、マイクロナノバブルのサイズにおいて、幅広く各種のマイクロナノバブルを発生させることができ、またそのマイクロナノバブル量も、多い方が、人間の体に対する影響が大であることを見出したことより、マイクロナノバブルの幅広い種類と、その幅広い種類のマイクロナノバブルを多量に、より経済的に、製造することが、必要であるが、その製造装置が存在していなかった。
【０００５】
ところで、従来技術のナノバブルの利用方法及び装置として、特開2004−121962号公報（特許文献１）がある。
【０００６】
この技術は、ナノバブルが有する浮力の減少、表面積の増加、表面活性の増大、局所高圧場の生成、静電分極の実現による界面活性作用と殺菌作用などの特性を活用したものである。より具体的には、それらが相互に関連することによって、汚れ成分の吸着機能、物体表面の高速洗浄機能、殺菌機能によって各種物体を高機能、低環境負荷で洗浄することができ、汚濁水の浄化を行うことができることを開示している。
【０００７】
また、従来技術の人工炭酸泉の製造方法として、特開2008−63236号公報（特許文献２）がある。
【０００８】
この技術は、微細空気を水に巻き込み、ナノからマイクロオーダーの気泡径を発生させるナノまたはマイクロバブル発生装置で、二酸化炭素ガスを水または温水に溶解させて、溶存二酸化炭素ガスの濃度を温泉法の炭酸泉の基準250ｐｐｍ以上、好ましくは療養泉の基準1000ｐｐｍ以上とすることを開示している。
【０００９】
また、従来技術の機能性マイクロバブル及び機能性マイクロバブル水として、特開2008−43906号公報（特許文献３）がある。
【００１０】
この技術は、気体と液体との混合液よりなる気液二相流体を、内側形状が円筒形又は円錐形の容器内で毎分20000〜40000回転させて、同容器の中心部に液体及び気体の二相旋回流を形成させ、その二相旋回流の回転軸に沿って気体の負圧空洞部を形成させて、旋回気体空洞部を形成させ、その旋回によって気体を千切り、かつ粉砕して、発生時に直径が10〜40μｍで、電位が−40〜−100ｍVの微細気泡を含む機能性マイクロバブル又は機能性マイクロバブル水を、生物へ供与（例えばマイクロバブル水に生物を浸漬）することを開示している。
【特許文献１】特開2004−121962号公報
【特許文献２】特開2008−63236号公報
【特許文献３】特開2008−43906号公報
【発明の開示】
【発明が解決しようとする課題】
【００１１】
しかしながら、従来の療養泉や浴槽において、マイクロバブルや炭酸ガスマイクロバブルを利用した浴槽等の技術は存在したものの、炭酸ガスマイクロナノバブルのサイズが多種で、しかも炭酸ガスマイクロナノバブル量が多量にあり、またそれらの内容をより経済的に発生製造できる人工療養泉製造方法や人工療養泉製造装置は存在していない課題があった。
【００１２】
また、マイクロナノバブルの人体への顕著な効果は、炭酸ガスやラドンを含有し、かつサイズがより小さいことが有効であることが判明してきた。
【００１３】
また、炭酸ガスやラドンを含有し、かつサイズが小さければ、皮膚より浸透して血流量を増加させることより、よりサイズを小さくして、多量に存在させることが、人体への血流量の増加等の効果を期待できる。
【００１４】
しかし、その様な条件に当てはまる経済的な装置や方法が存在していない課題があった。
【００１５】
また、マイクロナノバブルのサイズが、10μmから数百μｍ前後の直径を有しており、かつ、その範囲のサイズにおいて、幅広い種類と、その幅広い種類の炭酸ガスマイクロナノバブルを多量に製造することができなかった。
【００１６】
このサイズの炭酸ガスマイクロナノバブルが多量に存在すると、血流量が増加して、人体に対して作用が顕著となるので、浴槽として有効であるが、従来、作用が顕著となるすなわち、種類が多く、また多量の炭酸ガスマイクロナノバブルを経済的に、すなわち１台のマイクロナノバブル発生機で構築された人工療養泉製造装置は、存在していなかった。
【００１７】
そこで、この発明の課題は、微細な炭酸ガスおよび磁気活水マイクロナノバブルを浴槽水に含有させることができる人工療養泉製造装置および人工療養泉製造方法を提供することにある。
【課題を解決するための手段】
【００１８】
上記課題を解決するため、この発明の人工療養泉製造装置は、
浴槽と、
磁気活水マイクロナノバブル発生機と、
炭酸ガス貯留調整容器と
を備え、
上記磁気活水マイクロナノバブル発生機は、
上記浴槽内に吸込流路および吐出流路を介して接続されるポンプと、
上記浴槽内に配置されると共に、上記ポンプに上記吐出流路を介して接続されるマイクロナノバブル発生ノズルと、
上記吐出流路における上記ポンプと上記マイクロナノバブル発生ノズルとの間に設けられる磁気活水器と
を有し、
上記炭酸ガス貯留調整容器は、気体流路を介して、上記磁気活水マイクロナノバブル発生機の吐出側に接続され、
上記炭酸ガス貯留調整容器は、少なくとも炭酸ガスを作成し、上記気体流路を介して上記炭酸ガスを上記磁気活水マイクロナノバブル発生機に送り、
上記磁気活水マイクロナノバブル発生機は、上記浴槽内に、炭酸ガスおよび磁気活水マイクロナノバブルを、発生することを特徴としている。
【００１９】
この発明の人工療養泉製造装置によれば、上記浴槽と、上記磁気活水マイクロナノバブル発生機と、上記炭酸ガス貯留調整容器とを有し、上記磁気活水マイクロナノバブル発生機は、上記浴槽内に、炭酸ガスおよび磁気活水マイクロナノバブルを、発生するので、微細な炭酸ガスおよび磁気活水マイクロナノバブルを浴槽水に含有させることができる。したがって、炭酸ガスおよび磁気活水マイクロナノバブルにより、血流量の増加や体の細胞を刺激する性能を向上できる。
【００２０】
また、一実施形態の人工療養泉製造装置では、
上記炭酸ガス貯留調整容器は、ラドンガスと炭酸ガスとの混合ガスを作成し、上記気体流路を介して上記混合ガスを上記磁気活水マイクロナノバブル発生機に送り、
上記磁気活水マイクロナノバブル発生機は、上記浴槽内に、ラドン炭酸ガスおよび磁気活水マイクロナノバブルを、発生する。
【００２１】
この実施形態の人工療養泉製造装置によれば、上記磁気活水マイクロナノバブル発生機は、上記浴槽内に、ラドン炭酸ガスおよび磁気活水マイクロナノバブルを、発生するので、血流量の増加や体の細胞を刺激する性能を一層向上できる。
【００２２】
また、一実施形態の人工療養泉製造装置では、上記炭酸ガス貯留調整容器は、ラジウム鉱石を、収容している。
【００２３】
この実施形態の人工療養泉製造装置によれば、上記炭酸ガス貯留調整容器は、ラジウム鉱石を、収容しているので、ラジウム鉱石から発生する放射性ラドンの効果作用を期待できる。
【００２４】
また、一実施形態の人工療養泉製造装置では、上記ラジウム鉱石は、時間当たり0.1〜2.0マイクロシーベルト（μSV）の範囲のラジウムを放射する。
【００２５】
この実施形態の人工療養泉製造装置によれば、上記ラジウム鉱石は、時間当たり0.1〜2.0マイクロシーベルト（μSV）の範囲のラジウムを放射するので、0.1マイクロシーベルト（μSV）以上のラジウムの効果作用を期待できる。
【００２６】
また、一実施形態の人工療養泉製造装置では、
上記炭酸ガス貯留調整容器は、液体流路を介して、上記磁気活水マイクロナノバブル発生機の吐出側に接続され、
上記炭酸ガス貯留調整容器は、ラジウム鉱石に加えて、トルマリン鉱石を、収容し、
上記トルマリン鉱石の量は、上記浴槽の体積0.2ｍ3に対して、50〜100ｇである。
【００２７】
この実施形態の人工療養泉製造装置によれば、上記炭酸ガス貯留調整容器は、ラジウム鉱石に加えて、トルマリン鉱石を、収容し、上記トルマリン鉱石の量は、上記浴槽の体積0.2ｍ3に対して、50〜100ｇであるので、ラジウム鉱石とトルマリン鉱石の効果作用を期待できる。具体的には、体の細胞を少しずつ刺激する作用であるホルミシス効果を高めることができる。
【００２８】
また、一実施形態の人工療養泉製造装置では、上記炭酸ガス貯留調整容器は、炭酸ガスを発生する固形入浴剤を、収容している。
【００２９】
この実施形態の人工療養泉製造装置によれば、上記炭酸ガス貯留調整容器は、炭酸ガスを発生する固形入浴剤を、収容しているので、炭酸ガスを容易に発生できる。
【００３０】
また、一実施形態の人工療養泉製造装置では、
上記炭酸ガス貯留調整容器は、液体流路を介して、上記磁気活水マイクロナノバブル発生機の吐出側に接続され、
上記炭酸ガス貯留調整容器は、固形入浴剤に加えて、硫酸マグネシウムを、収容し、
上記硫酸マグネシウムの量は、上記浴槽の体積0.2ｍ3に対して、300〜400ｇである。
【００３１】
この実施形態の人工療養泉製造装置によれば、上記炭酸ガス貯留調整容器は、固形入浴剤に加えて、硫酸マグネシウムを、収容し、上記硫酸マグネシウムの量は、上記浴槽の体積0.2ｍ3に対して、300〜400ｇであるので、炭酸ガスと硫酸マグネシウムの効果作用を期待できる。すなわち、炭酸ガスにより血流量を増加し、硫酸マグネシウムにより皮膚表面に保湿ベールをつくる。
【００３２】
また、一実施形態の人工療養泉製造装置では、
上記炭酸ガス貯留調整容器は、液体流路を介して、上記磁気活水マイクロナノバブル発生機の吐出側に接続され、
上記炭酸ガス貯留調整容器は、固形入浴剤に加えて、炭酸カルシウムを、収容し、
上記炭酸カルシウムの量は、上記浴槽の体積0.2ｍ3に対して、300〜400ｇである。
【００３３】
この実施形態の人工療養泉製造装置によれば、上記炭酸ガス貯留調整容器は、固形入浴剤に加えて、炭酸カルシウムを、収容し、上記炭酸カルシウムの量は、上記浴槽の体積0.2ｍ3に対して、300〜400ｇであるので、炭酸ガスと炭酸カルシウムの効果作用を期待できる。すなわち、炭酸ガスにより血流量を増加し、炭酸カルシウムにより血行を促進する。
【００３４】
また、一実施形態の人工療養泉製造装置では、
上記炭酸ガス貯留調整容器は、液体流路を介して、上記磁気活水マイクロナノバブル発生機の吐出側に接続され、
上記炭酸ガス貯留調整容器は、固形入浴剤に加えて、塩化ナトリウムを、収容し、
上記塩化ナトリウムの量は、上記浴槽の体積0.2ｍ3に対して、300〜400ｇである。
【００３５】
この実施形態の人工療養泉製造装置によれば、上記炭酸ガス貯留調整容器は、固形入浴剤に加えて、塩化ナトリウムを、収容し、上記塩化ナトリウムの量は、上記浴槽の体積0.2ｍ3に対して、300〜400ｇであるので、炭酸ガスと塩化ナトリウムの効果作用を期待できる。すなわち、炭酸ガスにより血流量を増加し、塩化ナトリウムにより温熱にできる。
【００３６】
また、一実施形態の人工療養泉製造装置では、
上記炭酸ガス貯留調整容器は、液体流路を介して、上記磁気活水マイクロナノバブル発生機の吐出側に接続され、
上記炭酸ガス貯留調整容器は、固形入浴剤に加えて、炭酸水素ナトリウムを、収容し、
上記炭酸水素ナトリウムの量は、上記浴槽の体積0.2ｍ3に対して、300〜400ｇである。
【００３７】
この実施形態の人工療養泉製造装置によれば、上記炭酸ガス貯留調整容器は、固形入浴剤に加えて、炭酸水素ナトリウムを、収容し、上記炭酸水素ナトリウムの量は、上記浴槽の体積0.2ｍ3に対して、300〜400ｇであるので、炭酸ガスと炭酸水素ナトリウムの効果作用を期待できる。すなわち、炭酸ガスにより血流量を増加し、炭酸水素ナトリウムにより入浴効果を高めて毛穴を開き、余分な脂肪汚れを除去する。
【００３８】
また、この発明の人工療養泉製造方法は、
炭酸ガス貯留調整容器により、少なくとも炭酸ガスを作成し、気体流路を介して炭酸ガスを磁気活水マイクロナノバブル発生機に送る工程と、
マイクロナノバブル発生ノズルおよび磁気活水器を有する磁気活水マイクロナノバブル発生機により、浴槽内に、炭酸ガスおよび磁気活水マイクロナノバブルを、発生させる工程と
を備えることを特徴としている。
【００３９】
この発明の人工療養泉製造方法によれば、炭酸ガス貯留調整容器により、少なくとも炭酸ガスを作成し、気体流路を介して炭酸ガスを磁気活水マイクロナノバブル発生機に送る工程と、マイクロナノバブル発生ノズルおよび磁気活水器を有する磁気活水マイクロナノバブル発生機により、浴槽内に、炭酸ガスおよび磁気活水マイクロナノバブルを、発生させる工程とを備えるので、微細な炭酸ガスおよび磁気活水マイクロナノバブルを浴槽水に含有させることができる。したがって、炭酸ガスおよび磁気活水マイクロナノバブルにより、血流量の増加や体の細胞を刺激する性能を向上できる。
【００４０】
また、一実施形態の人工療養泉製造方法では、
上記炭酸ガス貯留調整容器により、ラドンガスと炭酸ガスとの混合ガスを作成し、上記気体流路を介して上記混合ガスを上記磁気活水マイクロナノバブル発生機に送り、
上記磁気活水マイクロナノバブル発生機により、上記浴槽内に、ラドン炭酸ガスおよび磁気活水マイクロナノバブルを、発生させる。
【００４１】
この実施形態の人工療養泉製造方法によれば、上記磁気活水マイクロナノバブル発生機により、上記浴槽内に、ラドン炭酸ガスおよび磁気活水マイクロナノバブルを、発生させるので、血流量の増加や体の細胞を刺激する性能を一層向上できる。
【００４２】
また、一実施形態の人工療養泉製造方法では、上記炭酸ガス貯留調整容器に、炭酸ガスを発生する固形入浴剤を投入して、炭酸ガスを作成する。
【００４３】
この実施形態の人工療養泉製造方法によれば、上記炭酸ガス貯留調整容器に、炭酸ガスを発生する固形入浴剤を投入して、炭酸ガスを作成するので、容易に炭酸ガスを発生させることができる。
【００４４】
また、一実施形態の人工療養泉製造方法では、上記固形入浴剤は、薬用植物の成分を含有している。
【００４５】
この実施形態の人工療養泉製造方法によれば、上記固形入浴剤は、薬用植物の成分を含有しているので、薬用植物の成分をも含有した炭酸ガスマイクロナノバブルを製造でき、薬用植物の成分がもつ、薬理効果を浴槽に入浴することで期待することができる。
【００４６】
また、一実施形態の人工療養泉製造方法では、上記固形入浴剤は、人体の疾患に治療効果のある成分を含有している。
【００４７】
この実施形態の人工療養泉製造方法によれば、上記固形入浴剤は、人体の疾患に治療効果のある成分を含有しているので、入浴により人体の疾患に対する治療効果を期待することができる。
【００４８】
また、一実施形態の人工療養泉製造方法では、上記薬用植物の成分は、朝鮮人参、ショウブ、トウキ、カミツレ、アロエおよびハマゴボウの何れか一つまたは少なくとも何れか二つの混合物である。
【００４９】
この実施形態の人工療養泉製造方法によれば、上記薬用植物の成分は、朝鮮人参、ショウブ、トウキ、カミツレ、アロエおよびハマゴボウの何れか一つまたは少なくとも何れか二つの混合物であるので、入浴により朝鮮人参、ショウブ、トウキ、カミツレ、アロエ、またはハマゴボウの作用を期待できる。
【００５０】
また、一実施形態の人工療養泉製造方法では、上記炭酸ガス貯留調整容器から上記磁気活水マイクロナノバブル発生機に送る炭酸ガス量を、自動的に、減少する。
【００５１】
この実施形態の人工療養泉製造方法によれば、上記炭酸ガス貯留調整容器から上記磁気活水マイクロナノバブル発生機に送る炭酸ガス量を減少するので、マイクロナノバブルのサイズを自動的に小さくして、小さなマイクロナノバブルによる新たな効果作用を期待できる。
【００５２】
また、一実施形態の人工療養泉製造方法では、
上記炭酸ガス貯留調整容器により、液体流路を介して、上記磁気活水マイクロナノバブル発生機に、有効成分を含む液体を送り、
上記磁気活水マイクロナノバブル発生機により、上記浴槽内に、炭酸ガスおよび磁気活水マイクロナノバブルを、発生させるとともに、上記浴槽内に、上記有効成分を含む液体を送る。
【００５３】
この実施形態の人工療養泉製造方法によれば、上記磁気活水マイクロナノバブル発生機により、上記浴槽内に、炭酸ガスおよび磁気活水マイクロナノバブルを、発生させるとともに、上記浴槽内に、上記有効成分を含む液体を送るので、炭酸ガスと有効成分の効果作用を期待できる。すなわち、炭酸ガスおよび磁気により血流量を増加し、有効成分の効果作用を期待できる。
【００５４】
また、一実施形態の人工療養泉製造方法では、上記磁気活水マイクロナノバブル発生機により、上記浴槽内に、炭酸ガスおよび磁気活水マイクロナノバブルを、発生させた後に、上記磁気活水マイクロナノバブル発生機により、上記浴槽内に、上記有効成分を含む液体を送る。
【００５５】
この実施形態の人工療養泉製造方法によれば、上記磁気活水マイクロナノバブル発生機により、上記浴槽内に、炭酸ガスおよび磁気活水マイクロナノバブルを、発生させた後に、上記磁気活水マイクロナノバブル発生機により、上記浴槽内に、上記有効成分を含む液体を送るので、上記浴槽内に、最初に気体、その次に液体を送ることができて、炭酸ガスおよび磁気活水の効果作用を最初に期待でき、その後に有効成分の効果作用を期待できる。
【発明の効果】
【００５６】
この発明の人工療養泉製造装置によれば、上記浴槽と、上記磁気活水マイクロナノバブル発生機と、上記炭酸ガス貯留調整容器とを有し、上記磁気活水マイクロナノバブル発生機は、上記浴槽内に、炭酸ガスおよび磁気活水マイクロナノバブルを、発生するので、炭酸ガスおよび磁気活水マイクロナノバブルにより、血流量の増加や体の細胞を刺激する性能を向上できる。
【００５７】
この発明の人工療養泉製造方法によれば、炭酸ガス貯留調整容器により、少なくとも炭酸ガスを作成し、気体流路を介して炭酸ガスを磁気活水マイクロナノバブル発生機に送る工程と、マイクロナノバブル発生ノズルおよび磁気活水器を有する磁気活水マイクロナノバブル発生機により、浴槽内に、炭酸ガスおよび磁気活水マイクロナノバブルを、発生させる工程とを備えるので、炭酸ガスおよび磁気活水マイクロナノバブルにより、血流量の増加や体の細胞を刺激する性能を向上できる。
【発明を実施するための最良の形態】
【００５８】
以下、この発明を図示の実施の形態により詳細に説明する。
【００５９】
（第１の実施形態）
図１は、この発明の人工療養泉製造装置の第１実施形態である模式図を示している。この人工療養泉製造装置１は、浴槽３と、磁気活水マイクロナノバブル発生機１９と、炭酸ガス貯留調整容器１０とを備える。
【００６０】
磁気活水マイクロナノバブル発生機１９は、高揚程ポンプ７と、マイクロナノバブル発生ノズル２と、磁気活水器３４とを有する。
【００６１】
高揚程ポンプ７は、浴槽３内に、吸込流路としての吸込側ホース６と吐出流路としての吐出側ホース５とを介して、接続される。マイクロナノバブル発生ノズル２は、浴槽３内に配置されると共に、高揚程ポンプ７に吐出側ホース５を介して、接続される。磁気活水器３４は、吐出側ホース５における高揚程ポンプ７とマイクロナノバブル発生ノズル２との間に設けられる。
【００６２】
炭酸ガス貯留調整容器１０は、気体流路としての気体配管１５と液体流路としての液体配管３１とを介して、磁気活水マイクロナノバブル発生機１９の吐出側に接続される。
【００６３】
炭酸ガス貯留調整容器１０は、固形入浴剤１２およびラジウム鉱石１１を、収容している。固形入浴剤１２は、炭酸ガスを発生する。ラジウム鉱石１１は、ラドンガスを発生する。
【００６４】
炭酸ガス貯留調整容器１０は、ラドンガスと炭酸ガスとの混合ガスを作成し、気体配管１５を介して混合ガスを磁気活水マイクロナノバブル発生機１９に送る。磁気活水マイクロナノバブル発生機１９は、浴槽３内に、ラドン炭酸ガスおよび磁気活水マイクロナノバブルを、発生する。
【００６５】
なお、固形入浴剤１２が有効成分を含有し、その有効成分が、炭酸ガス貯留調整容器１０内の液体１３に存在する場合、液体配管３１を介して、液体１３を浴槽３内に送るようにしてもよい。
【００６６】
人工療養泉製造装置１は、浴槽で使用する為、特に磁気活水マイクロナノバブル発生機１９は、漏電に対する安全対策が重要である。図示していないが、高感度漏電ブレーカーを設置することは当然である。
【００６７】
また、万が一のことを考慮して、感電防止対策として、収容容器９の底部が、絶縁ラバー８から構成されている。
【００６８】
収容容器９には、上部に炭酸ガス貯留調整容器１０、下部に高揚程ポンプ７が収容されている。
【００６９】
炭酸ガス貯留調整容器１０は、上部蓋がネジ構造になっており、ネジ式蓋１４を締めると、炭酸ガス貯留調整容器１０内で発生した気体は、外部に漏洩しない様構成されている。なお、炭酸ガス貯留調整容器１０の蓋を、ネジ構造としたが、内部で発生した気体が外部に漏洩しなければ、特に限定しない。例えば、ネジ方式の他、パッキンと蓋固定方式などいくつかの方式がある。目的や操作性から判断して蓋の構造は、最適な方式を選定すればよい。
【００７０】
収容容器９の材質は、例えば、プラスチックであり、炭酸ガス貯留調整容器１０に投入する炭酸ガス２５を発生する固形入浴剤１２が、液体１３中で溶解する際、液体１３のｐＨや発生する炭酸ガス２５によって、腐蝕しない材料であればよい。なお、金属のアルミニウム、ステンレス、または、硬質木材でも特に問題はない。
【００７１】
炭酸ガス貯留調整容器１０の内部の下部には、ラジウム鉱石１１が充填されている。ライジウム鉱石１１は、自然界の特定場所の地下で天然の放射線を出している鉱石である。自然界で、ラジウム鉱石１１が存在し、地下水が放射性鉱石の近くを通って、水にラジウムを多く含み湧き出したのが、ラドン温泉であり、国内では秋田県の玉川温泉、鳥取県の三朝温泉が有名である。
【００７２】
また、ラジウム鉱石１１は、アルファ・ベータ・ガンマー線を放射している。ラジウム鉱石１１に、液体を注入すると、その放射性を持つ気体としてのラドンを発生する。そして放射性ラドンが空気に触れると空気がイオン化する。
【００７３】
ラドンの作用効果としては、ラドンの適当量が温浴中に人体の呼吸により肺より直接血液中に、また皮膚を通じて組織内に吸収されると、その強力なイオン化作用が人体の血液及び組織に働いて血液が浄化される作用がある。
【００７４】
炭酸ガス貯留調整容器１０内のラジウム鉱石１１は、毎回取り替える必要はなく、使用回数が多く、汚れが発生した時点、例えば１年程度を目安に交換すればよい。
【００７５】
次に、具体的な取り扱い例について説明する。炭酸ガス貯留調整容器１０のネジ式蓋１４を開けて、ラジウム鉱石１１を炭酸ガス貯留調整容器１０内に収容した後、液体１３としてのお湯を注入する。そして、お湯を注入すると、気体としてのラドンガス２６が発生する。なお、ラジウム鉱石１１としては、具体的には、黄麦堂の商品名『ラジウムボール』を採用した。
【００７６】
黄麦堂の商品名『ラジウムボール』は、ラジウムボール１０個当り、０．６０１マイクロシーベルト／時のラジウム量を出すことができる。
【００７７】
よって、第１実施の形態では、２８個収容したので、１．６８３マイクロシーベルト／時のラジウム量を有する液体を製造できる。
【００７８】
次に、ラジウム量について説明する。ラジウム鉱石１１は、時間当たり0.1〜2.0マイクロシーベルト（μSV）の範囲のラジウムを放射するのが好ましい。ラジウム量が、０．１マイクロシーベルト／時以下の場合は、体の細胞を少しずつ刺激して体の恒常性（一般に業界ではホルミシス効果と言われています。）を増加する作用がなくなる。
【００７９】
一方、ラジウム量が、２．０マイクロシーベルト／時以上の場合は、肺がん発生の確率が高くなると言われている。特に、喫煙者におけるラジウムによる被爆では、肺がん発生の確率が高くなるとの報告もある。
【００８０】
なお、最終的には、炭酸ガス貯留調整容器１０内の液体１３としてのお湯は、排水バルブ２８を開として、毎回抜くこととしている。ラジウム鉱石１１が液体１３中に存在するとラドンガスが発生するからであり、使用しない時は、空気中で保管することが望ましいからである。
【００８１】
次に、炭酸ガス２５を発生する固形入浴剤１２をラジウム鉱石１１に上部に投入する。炭酸ガス２５を発生する固形入浴剤１２としては、花王株式会社の商品名『バブ濃厚炭酸湯』を採用した。
【００８２】
すると、ラジウム鉱石１１からラドンガス２６が発生し、また、固形入浴剤１２から炭酸ガス２５が発生して、ラドンガス２６と炭酸ガス２５の混合物が、形成されることになる。
【００８３】
そして、高揚程ポンプ７を運転すると、高揚程ポンプ７は、浴槽水をあらかじめ注入してあった浴槽３の浴槽水をストレーナー４および吸込側ホース６を経由して、高揚程ポンプ７に取り込み、さらに高揚程ポンプ７のインペラが高速回転して、吐出側ホース５を介してマイクロナノバブル発生ノズル２に気体としてのラドン炭酸ガスの混合物を吸い込みながら旋回して、さらにせん断されてラドン炭酸ガスマイクロナノバブルが発生することになる。
【００８４】
ラドン炭酸ガスの混合物は、気体用バルブ２３を開とし、液体用バルブ２４を閉とした状態で、気体配管１５を経由して、かつ、気体流量計１７で正確な量を確認し、さらに、バルブ１６で微調整されてマイクロナノバブル発生ノズル２に、自動的に、供給（自給）される。
【００８５】
なお、固形入浴剤１２が有効成分を含有し、その有効成分が、液体１３中に存在する場合、気体用バルブ２３を閉とし、液体用バルブ２４を開とした状態で、液体配管３１を経由して、かつ、液体流量計３０で正確な量を確認し、さらに、バルブ２９で微調整されてマイクロナノバブル発生ノズル２に、自動的に、供給（自給）するようにしてもよい。
【００８６】
気体流量計１７や液体流量計３０は、東京計装株式会社の製品を選定した。また、浴槽３に投入する液体入浴剤２０としては、日本リーバ株式会社の商品名『ＬＵＸスーパーモイスト』を選定した。
【００８７】
液体入浴剤２０の役目は、多量のラドン炭酸ガスマイクロナノバブルを製造することであり、固形入浴剤１２の役目は、炭酸ガス貯留調整容器１０内で炭酸ガス２５を発生させて、マイクロナノバブル発生ノズル２において、浴槽水にラドンと混合したラドン炭酸ガスマイクロナノバブルを含有させることである。
【００８８】
そして、『バブ濃厚炭酸湯』の効能としては、炭酸ガス２５が溶け込みやすい油性成分を配合してあり、炭酸ガス２５が湯に高濃度に溶け込み、温浴効果を高めて血行を促進し、冷え症、疲れ、肩こりなどに効果があると記載されている。
【００８９】
そして、マイクロナノバブル発生ノズル２からは、マイクロナノバブル流１８が形成される。
【００９０】
ここで、磁気活水マイクロナノバブル発生機１９において、固形入浴剤１２のみの場合と固形入浴剤１２および液体入浴剤２０の両方が存在する場合のマイクロナノバブル発生量を比較した。測定は、BECKMAN  COULTER  社のMultisizer  にて、測定し、以下の表の結果となった。
2010022454.tif 000003
【００９１】
上記表の結果から、固形入浴剤１２および液体入浴剤２０の両方が存在する場合が、固形入浴剤１２のみの場合に比べて、マイクロナノバブル発生量が多いことがわかる。
【００９２】
磁気活水マイクロナノバブル発生機１９では、吐出側ホース５と吸込側ホース６が用いられており、既存のどんな浴槽３にも、容易に人工療養泉装置１が設置できる。配管の場合、寸法が決まっており、その都度配管の交換工事が発生して、面倒でもあり、費用も発生することになる。その点、ホースはどんな形状の浴槽にも適合する。
【００９３】
磁気活水器３４は、上流側フランジ３２と下流側フランジ３７との間に設置され、磁気活水器３４の内部に、厚み３０ｍｍ以下の液体通過部３３が、平板により形成されている。
【００９４】
平板を挟んでＳ極磁石３８とＮ極磁石３５とが、３つずつ設置され、Ｓ極磁石３８とＮ極磁石３５の間に磁力線３６が、発生している。この磁力線３６の中を液体が流れると、微弱な電流が発生する。
【００９５】
この微弱電流を含む水などの液体を浴槽水に導入して、人体の血液に微弱な電流を発生させて、血流量を増加させる内容である。磁気活水器３４の一例として、簡単な例として、永久磁石としての磁気ネックレス、磁気ブレスレット、商品名としての『ピップエレキバン』があり、過去から使用されてきた。炭酸ガスマイクロナノバブルおよび磁気活水器３４は、ともに、血流量を増加する。なお、磁気活水器３４として、株式会社ビー・シー・オーの商品名BK型を採用した。
【００９６】
療養泉は、環境庁鉱泉分析法指針によって特に治療の目的に供しうるものとして規定された基準値を満たす温泉と説明されている。基準値は、炭酸ガス（CO2）1000ｐｐｍ以上と規定されている。そして、さらに、ラドンを含有していれば、炭酸ガスと放射性を有し、イオン化しているラドンにより、好ましい人工療養泉とすることができる。
【００９７】
療養泉の定義は、その湯に、下記のいずれかの条件を有しておれば、療養泉と表現することができる。（環境庁鉱泉分析法指針）
1）温度（源泉から採取されるときの温度）    摂氏25度以上
2）物質  下記の表に掲げるもののうち、いずれかひとつを含有していれば、『療養泉』という。
2010022454.tif 000004
【００９８】
炭酸ガスの濃度が1000ｐｐｍ以上となる様に、炭酸ガス貯留調整容器１０に、炭酸ガス２５を発生する固形入浴剤１２を投入し、浴槽３には、多量にマイクロナノバブルが発生する様に液体入浴剤２０を投入した。
【００９９】
通常の浴槽においては、固形入浴剤１２を複数投入しても、炭酸ガス濃度を1000ｐｐｍとすることができないが、磁気活水マイクロナノバブル発生機１９と固形入浴剤１２および液体入浴剤２０との組み合わせで、炭酸ガス濃度を1000ppm以上とすることができた。この時の実験結果を、以下の表に示す。
2010022454.tif 000005
【０１００】
なお、炭酸ガス濃度は、東亜ディーケーケー株式会社の炭酸ガス濃度計CGP1にて測定した。上記表より、本発明では、炭酸ガス濃度が、1000ppm以上となった。
【０１０１】
なお、マイクロナノバブル発生機は、市販されているものならば、メーカーを限定するものではなく、具体的には、株式会社ナノプラネット研究所のものを採用した。
【０１０２】
他の商品としては、野村電子工業株式会社等、他メーカーの商品も数多く販売されているが、目的に従って選定すれば良い。
【０１０３】
次に、磁気活水マイクロナノバブル発生機１９としてのメカニズムを詳細に説明する。マイクロナノバブル発生ノズル２において、流体力学的に圧力を制御し、負圧形成部分から気体を吸入し、高速流体運動させて、負圧部を形成し、マイクロナノバブルを発生させる。より解かりやすく簡単に説明すると、水と空気を効果的に自給混合溶解し、圧送することにより、マイクロナノバブル白濁水を製造することができる。
【０１０４】
さらに、詳細に説明すると、マイクロナノバブル発生ノズル２において、マイクロナノバブルを発生させるために、液体および気体の混相旋回流を発生させ、マイクロナノバブル発生ノズル２の中心部に高速旋回させる気体空洞部を形成させる。
【０１０５】
次に、この空洞部を圧力で竜巻状に細くして、より高速で旋回する回転せん断流を発生させる。この空洞部に気体としての炭酸ガスとラドンガスを、マイナス圧（負圧）を利用して、自動的に供給させる。さらに、切断粉砕しながら混相流を回転する。この切断・粉砕は、装置出口付近における内外の気液二相流体の旋回速度差により起きる。その時の回転速度は、500〜600回転/秒である。
【０１０６】
すなわち、マイクロナノバブル発生ノズル２において、流体力学的に圧力を制御することで、負圧形成部分から気体を吸入し、高揚程ポンプ７で高速流体運動させて、負圧部を形成し、ラドン炭酸ガスマイクロナノバブルを発生させる。より解かりやすく簡単に説明すると、高揚程ポンプ７で水と空気を効果的に自給混合溶解し、圧送することにより、ラドン炭酸ガスマイクロナノバブル白濁水を製造することができるのである。
【０１０７】
ここで、３種類のバブルについて説明する。
【０１０８】
通常のバブル（気泡）は、水の中を上昇して、ついには表面でパンとはじけて消滅する。
【０１０９】
マイクロバブルは、直径が50ミクロン（μm）以下の微細気泡で、水中で縮小していき、ついには消滅（完全溶解）してしまう。つまり、マイクロバブルは、その発生時において、10〜数十umの気泡径を有する気泡であり、発生後に収縮運動により『マイクロナノバブル』に変化する。
【０１１０】
ナノバブルは、マイクロバブルよりさらに小さいバブル（直径が1ミクロン以下の100〜200nｍ）でいつまでも水の中に存在する。つまり、ナノバブルは、数百nｍ以下の直径を有する気泡である。
【０１１１】
マイクロナノバブルとは、マイクロバブルとナノバブルとが混合したバブルと説明できる。つまり、マイクロナノバブルは、10umから数百nｍ前後の直径を有する気泡である。
【０１１２】
次に、実験データを示す。
【０１１３】
血流量と各種浴槽との比較を以下の表に示す。血流量（Ｑ０）は、通常の浴槽（バブル無し）使用後の体内血流量である。血流量（Ｑ１）は、マイクロバブルを発生させた浴槽使用後の体内血流量である。血流量（Ｑ２）は、ラドン炭酸ガスマイクロナノバブルを発生させた浴槽使用後の体内血流量である。血流量は、オメガフロー社製ＦＬＯ型の測定器により、測定した。
2010022454.tif 000006
【０１１４】
上記表より、マイクロバブルを発生させた浴槽使用後の体内血流量（Ｑ１）、および、ラドン炭酸ガスマイクロナノバブルを発生させた浴槽使用後の体内血流量（Ｑ２）は、通常の浴槽使用後の体内血流量（Ｑ０）と比べて、多くなっている。
【０１１５】
体温と各種浴槽との比較を以下の表に示す。体温（Ｔ０）は、通常の足湯槽（バブル無し）の体温である。体温（Ｔ１）は、マイクロバブルを発生させた足湯槽使用後の体温である。体温（Ｔ２）は、ラドン炭酸ガスマイクロナノバブルを発生させた足湯槽使用後の体温である。
2010022454.tif 000007
【０１１６】
上記表より、マイクロバブルを発生させた足湯槽使用後の体温（Ｔ１）、および、ラドン炭酸ガスマイクロナノバブルを発生させた足湯槽使用後の体温（Ｔ２）は、通常の足湯槽使用後の体温（Ｔ０）と比べて、高くなっている。
【０１１７】
次に、人工療養泉製造方法を説明すると、炭酸ガス貯留調整容器１０により、ラドンガスと炭酸ガスとの混合ガスを作成し、気体配管１５を介して混合ガスを磁気活水マイクロナノバブル発生機１９に送る。その後、マイクロナノバブル発生ノズル２および磁気活水器３４を有する磁気活水マイクロナノバブル発生機１９により、浴槽３内に、ラドン炭酸ガスおよび磁気活水マイクロナノバブルを、発生させる。
【０１１８】
炭酸ガス貯留調整容器１０に、炭酸ガスを発生する固形入浴剤１２を投入して、炭酸ガスを作成する。
【０１１９】
固形入浴剤１２は、薬用植物の成分を含有していてもよく、薬用植物の成分をも含有した炭酸ガスマイクロナノバブルを製造でき、薬用植物の成分がもつ、薬理効果を浴槽３に入浴することで期待することができる。
【０１２０】
また、固形入浴剤１２は、人体の疾患に治療効果のある成分を含有していてもよく、入浴により人体の疾患に対する治療効果を期待することができる。
【０１２１】
また、薬用植物の成分は、朝鮮人参、ショウブ、トウキ、カミツレ、アロエおよびハマゴボウの何れか一つまたは少なくとも何れか二つの混合物であってもよく、入浴により朝鮮人参、ショウブ、トウキ、カミツレ、アロエ、またはハマゴボウの作用を期待できる。
【０１２２】
また、炭酸ガス貯留調整容器１０から磁気活水マイクロナノバブル発生機１９に送る炭酸ガス量を、自動的に、減少するようにしてもよく、マイクロナノバブルのサイズを自動的に小さくして、小さなマイクロナノバブルによる新たな効果作用を期待できる。
【０１２３】
また、炭酸ガス貯留調整容器１０により、液体配管３１を介して、磁気活水マイクロナノバブル発生機１９に、有効成分を含む液体を送り、磁気活水マイクロナノバブル発生機１９により、浴槽３内に、炭酸ガスおよび磁気活水マイクロナノバブルを、発生させるとともに、浴槽３内に、有効成分を含む液体を送るようにしてもよく、炭酸ガスと有効成分の効果作用を期待できる。すなわち、炭酸ガスおよび磁気により血流量を増加し、有効成分の効果作用を期待できる。
【０１２４】
また、磁気活水マイクロナノバブル発生機１９により、浴槽３内に、炭酸ガスおよび磁気活水マイクロナノバブルを、発生させた後に、磁気活水マイクロナノバブル発生機１９により、浴槽３内に、有効成分を含む液体を送るようにしてもよく、浴槽３内に、最初に気体、その次に液体を送ることができて、炭酸ガスおよび磁気活水の効果作用を最初に期待でき、その後に有効成分の効果作用を期待できる。
【０１２５】
上記構成の人工療養泉製造装置および上記人工療養泉製造方法によれば、微細なラドン炭酸ガスおよび磁気活水マイクロナノバブルを浴槽水に含有させることができる。したがって、ラドン炭酸ガスおよび磁気活水マイクロナノバブルにより、血流量の増加や体の細胞を刺激する性能を向上できる。
【０１２６】
（第２の実施形態）
図２は、この発明の人工療養泉製造装置の第２の実施形態を示している。第１の実施形態では、炭酸ガス貯留調整容器１０に、第１の実施形態ではラジウム鉱石１１が充填されていたが、第２の実施形態では、ラジウム鉱石１１が充填されていない。充填されていない点のみが、第１の実施形態と異なっている。なお、第１の実施形態と同じ部分については、同じ符号を付けて、詳細説明を省略する。
【０１２７】
第２の実施形態では、炭酸ガス貯留調整容器１０に、ラジウム鉱石１１が充填されていない。
【０１２８】
したがって、ラジウム鉱石１１から発生する気体である放射性ラドンの効果を期待できない。すなわち、ラドンの作用効果としては、ラドンの適当量が温浴中に人体の呼吸により肺より直接血液中に、また皮膚を通じて組織内に吸収されると、その強力なイオン化作用が人体の血液及び組織に働いて血液が浄化される作用があるが、期待できない。
【０１２９】
固形入浴剤１２のみの作用であるから、固形入浴剤１２としての花王株式会社『バブ濃厚炭酸湯』の効能としては、炭酸ガス２５が溶け込みやすい油性成分を配合してあり、炭酸ガス２５が湯に高濃度に溶け込み、温浴効果を高めて血行を促進し、血流量を増加させて、冷え症、疲れ、肩こりなどに効果が期待できる。
【０１３０】
（第３の実施形態）
図３は、この発明の人工療養泉製造装置の第３の実施形態を示している。第３の実施形態では、炭酸ガス貯留調整容器１０に、硫酸マグネシウムが新たに添加されている点のみが、第１の実施形態と異なっている。なお、第１の実施形態と同じ部分については、同じ符号を付けて、詳細説明を省略する。
【０１３１】
炭酸ガス貯留調整容器１０に添加される硫酸マグネシウムの量は、浴槽３の体積0.2ｍ3に対して300〜400ｇ（重量換算で0.15〜0.2％）である。
【０１３２】
300〜400ｇ（重量換算で0.15〜0.2％）添加する理由は、その程度の重量の商品が存在することと、その商品の作用効果が判明しているからである。
【０１３３】
したがって、硫酸マグネシウムを含んだマイクロナノバブルがマイクロナノバブル発生ノズル２から吐出し、さらに入浴効果を高めて、人体の皮膚表面に保湿ベールをつくり、保湿効果を持続する。
【０１３４】
具体的には、炭酸ガス貯留調整容器１０の液体１３中に硫酸マグネシウムを溶解させて、液体用バルブ２４を開とし、気体用バルブ２３を閉とした条件で、バルブ２９と液体流量計３０で流量を調整して、マイクロナノバブル発生ノズル２に自動的に供給（自給）させる。
【０１３５】
硫酸マグネシウムを添加すると、液体１３中のイオン量が増加して、電気伝導度が上昇して多量のマイクロナノバブルが発生する。このことは、淡水中よりも、イオン量の多い海水中でマイクロバブルが多量に発生する現象と同様である。
【０１３６】
（第４の実施形態）
図４は、この発明の人工療養泉製造装置の第４の実施形態を示している。第４の実施形態では、炭酸ガス貯留調整容器１０に、炭酸カルシウムが新たに添加されている点のみが、第１の実施形態と異なっている。なお、第１の実施形態と同じ部分については、同じ符号を付けて、詳細説明を省略する。
【０１３７】
炭酸ガス貯留調整容器１０に添加される炭酸カルシウムの量は、浴槽３の体積0.2ｍ3に対して300〜400ｇ（重量換算で0.15〜0.2％）である。
【０１３８】
300〜400ｇ（重量換算で0.15〜0.2％）添加する理由は、その程度の重量の商品が存在することと、その商品の作用効果が判明しているからである。
【０１３９】
したがって、炭酸カルシウムを含んだマイクロナノバブルがマイクロナノバブル発生ノズル２から吐出し、さらに入浴効果を高めて、血行障害で生じる肩こりなどの症状に作用する。
【０１４０】
具体的には、炭酸ガス貯留調整容器１０の液体１３中に炭酸カルシウムを溶解させて、液体用バルブ２４を開とし、気体用バルブ２３を閉とした条件で、バルブ２９と液体流量計３０で流量を調整して、マイクロナノバブル発生ノズル２に自動的に供給（自給）させる。
【０１４１】
炭酸カルシウムを添加すると、液体１３中のイオン量が増加して、電気伝導度が上昇して多量のマイクロナノバブルが発生する。このことは、淡水中よりも、イオン量の多い海水中でマイクロバブルが多量に発生する現象と同様である。
【０１４２】
（第５の実施形態）
図５は、この発明の人工療養泉製造装置の第５の実施形態を示している。第５の実施形態では、炭酸ガス貯留調整容器１０に、塩化ナトリウムが新たに添加されている点のみが、第１の実施形態と異なっている。なお、第１の実施形態と同じ部分については、同じ符号を付けて、詳細説明を省略する。
【０１４３】
炭酸ガス貯留調整容器１０に添加される塩化ナトリウムの量は、浴槽３の体積0.2ｍ3に対して300〜400ｇ（重量換算で0.15〜0.2％）である。
【０１４４】
300〜400ｇ（重量換算で0.15〜0.2％）添加する理由は、その程度の重量の商品が存在することと、その商品の作用効果が判明しているからである。
【０１４５】
したがって、塩化ナトリウムを含んだマイクロナノバブルがマイクロナノバブル発生ノズル２から吐出し、さらに入浴効果を高めて、温熱効果が人体の末端まで行き渡る。
【０１４６】
具体的には、炭酸ガス貯留調整容器１０の液体１３中に塩化ナトリウムを溶解させて、液体用バルブ２４を開とし、気体用バルブ２３を閉とした条件で、バルブ２９と液体流量計３０で流量を調整して、マイクロナノバブル発生ノズル２に自動的に供給（自給）させる。
【０１４７】
塩化ナトリウムを添加すると、液体１３中のイオン量が増加して、電気伝導度が上昇して多量のマイクロナノバブルが発生する。このことは、淡水中よりも、イオン量の多い海水中でマイクロバブルが多量に発生する現象と同様である。
【０１４８】
（第６の実施形態）
図６は、この発明の人工療養泉製造装置の第６の実施形態を示している。第６の実施形態では、炭酸ガス貯留調整容器１０に、炭酸水素ナトリウムが新たに添加されている点のみが、第１の実施形態と異なっている。なお、第１の実施形態と同じ部分については、同じ符号を付けて、詳細説明を省略する。
【０１４９】
炭酸ガス貯留調整容器１０に添加される炭酸水素ナトリウムの量は、浴槽３の体積0.2ｍ3に対して300〜400ｇ（重量換算で0.15〜0.2％）である。
【０１５０】
300〜400ｇ（重量換算で0.15〜0.2％）添加する理由は、その程度の重量の商品が存在することと、その商品の作用効果が判明しているからである。
【０１５１】
したがって、炭酸水素ナトリウムを含んだマイクロナノバブルがマイクロナノバブル発生ノズル２から吐出し、さらに入浴効果を高めて、人体の皮膚表面の毛穴を開き余分の皮脂汚れを除去しやすくする。また、新陳代謝を促進して肌表面を整える。
【０１５２】
具体的には、炭酸ガス貯留調整容器１０の液体１３中に炭酸水素ナトリウムを溶解させて、液体用バルブ２４を開とし、気体用バルブ２３を閉とした条件で、バルブ２９と液体流量計３０で流量を調整して、マイクロナノバブル発生ノズル２に自動的に供給（自給）させる。
【０１５３】
炭酸水素ナトリウムを添加すると、液体１３中のイオン量が増加して、電気伝導度が上昇して多量のマイクロナノバブルが発生する。このことは、淡水中よりも、イオン量の多い海水中でマイクロバブルが多量に発生する現象と同様である。
【０１５４】
（第７の実施形態）
図７は、この発明の人工療養泉製造装置の第７の実施形態を示している。第１の実施形態では、炭酸ガス貯留調整容器１０に、第１の実施形態ではラジウム鉱石１１のみが充填されていたが、第７の実施形態では、ラジウム鉱石１１に加えて、トルマリン鉱石２１が収容されている。この点のみが、第１の実施形態と異なっている。なお、第１の実施形態と同じ部分については、同じ符号を付けて、詳細説明を省略する。
【０１５５】
第７実施形態では、炭酸ガス貯留調整容器１０に、ラジウム鉱石１１の下にトルマリン鉱石２１が充填されている。トルマリン鉱石２１（電気石）の充填量は、浴槽体積0.2ｍ3に対して、50〜100ｇ（重量換算で0.025〜0.05％）である。
【０１５６】
50〜100ｇのトルマリン鉱石２１を充填する理由は、その程度の商品が存在することと、作用としてのマイナスイオン量が公表されていることによる。
【０１５７】
したがって、ラジウム鉱石１１から発生する気体である放射性ラドンの効果とトルマリン鉱石２１の効果を期待できる。
【０１５８】
すなわち、第１にラドンの作用効果としては、ラドンの適当量が温浴中に人体の呼吸により肺より直接血液中に、また皮膚を通じて組織内に吸収されると、その強力なイオン化作用が人体の血液及び組織に働いて血液が浄化される作用がある。
【０１５９】
第２にトルマリン鉱石２１の具体例として、商品名『トルマリンボールZ』を採用した。ここで、トルマリン鉱石２１について、説明する。トルマリンは、別名を電気石といい、外部から熱や圧力が加わることにより、微弱な電気を流す。結晶体のトルマリンは、極性結晶体といわれ、一方にマイナスの電極、もう一方にプラスの電極を備えている。電極を備えた結晶体であるから効率的に電気作用を示す。
【０１６０】
トルマリン鉱石２１の効果として、遠赤外線効果、水の電気分解及びイオン化、マイナスイオン効果等がある。特に注目すべき作用として、マイナスイオン効果がある。
【０１６１】
トルマリンは、マイナスイオンを多量に放出するので、水のクラスターがイオン化され、体内に吸収されやすくなる。具体的には、皮膚から吸収される。
【０１６２】
マイナスイオンは、人体に対して、精神的、肉体的にリラックス、リフレッシュ効果があると言われている。
【０１６３】
以下にマイナスイオン生成量のデータを記載する。マイナスイオンは、マイナスイオンテスターの測定器を用いて、測定した。
2010022454.tif 000008
【０１６４】
（実験例）
次に、図１に基づき、収容容器９の容量を約0.1ｍ3、浴槽３の容量を0.2ｍ3として、人工療養泉製造装置１を構成した。
【０１６５】
また、固形入浴剤１２を花王株式会社の『バブ濃厚炭酸湯』、浴槽３に添加する液体入浴剤２０を日本リーバ株式会社の商品名『ＬＵＸスーパーモイスト』を選定し、また、マイクロナノバブル発生機１９を株式会社ナノプラネット研究所、高揚程ポンプ７をイワキのマグネットポンプＭＤ型０．２ｋｗから構成し、かつ、ラジウム鉱石１１を黄麦堂の商品名『ラジウムボール』を採用し、約３０リットル充填した。磁気活水器３４として、株式会社ビー・シー・オーの商品名ＢＫ型を採用した。
【０１６６】
そして、人工療養泉製造装置１を運転して、真っ白なラドン炭酸ガスマイクロナノバブルを発生させて、入浴し、入浴後風呂から出て、全身を観察したところ、全身が赤くなると同時に発汗が通常の入浴後より、かなり増加していた。
【０１６７】
花王株式会社の『バブ濃厚炭酸湯』には、効能として、温浴効果を高めて血行を促進、冷え症、疲労回復、肩のこり、腰痛、神経痛、リウマチ、痔、あせも、しもやけ、荒れ症、ひび、あかぎれ、しっしん、にきびが記載されている。
【０１６８】
また、花王株式会社の『バブＥＸ』には、効能として、温浴効果を高めて血行を促進、冷え症、疲労回復、肩のこり、腰痛、神経痛、リウマチ、痔、あせも、しもやけ、荒れ症、ひび、あかぎれ、しっしん、にきびが記載されている。
【０１６９】
なお、発明者自身が糖尿病患者であるが、長い期間人工療養泉製造装置１を使用すると、足のしびれ感が一時的に解消した状況であった。また、空腹時及び食後の血糖値を、対策前と比較すると、日によって異なるものの、10％から30％まで、低下した。
【図面の簡単な説明】
【０１７０】
【図１】本発明の人工療養泉製造装置の第１実施形態を示す模式図である。
【図２】本発明の人工療養泉製造装置の第２実施形態を示す模式図である。
【図３】本発明の人工療養泉製造装置の第３実施形態を示す模式図である。
【図４】本発明の人工療養泉製造装置の第４実施形態を示す模式図である。
【図５】本発明の人工療養泉製造装置の第５実施形態を示す模式図である。
【図６】本発明の人工療養泉製造装置の第６実施形態を示す模式図である。
【図７】本発明の人工療養泉製造装置の第７実施形態を示す模式図である。
【符号の説明】
【０１７１】
１  人工療養泉装置
２  マイクロナノバブル発生ノズル
３  浴槽
４  ストレーナー
５  吐出側ホース（吐出流路）
６  吸込側ホース（吸込流路）
７  高揚程ポンプ
８  絶縁ラバー
９  収容容器
１０  炭酸ガス貯留調整容器
１１  ラジウム鉱石
１２  固形入浴剤
１３  液体
１４  ネジ式蓋
１５  気体配管（気体流路）
１６  バルブ
１７  気体流量計
１８  マイクロナノバブル流
１９  磁気活水マイクロナノバブル発生機
２０  液体入浴剤
２１  トルマリン鉱石
２３  気体用バルブ
２４  液体用バルブ
２５  炭酸ガス
２６  ラドンガス
２８  排水バルブ
２９  バルブ
３０  液体流量計
３１  液体配管
３２  上流側フランジ
３３  液体通過部
３４  磁気活水器
３５  Ｎ極磁石
３６  磁力線
３７  下流側フランジ
３８  Ｓ極磁石
【図１】
2010022454.tif 000009
【図２】
2010022454.tif 000010
【図３】
2010022454.tif 000011
【図４】
2010022454.tif 000012
【図５】
2010022454.tif 000013
【図６】
2010022454.tif 000014
【図７】
2010022454.tif 000015